(57)【特許請求の範囲】
【請求項１】
複数のビットにより表現されたコマンドを複数種類保持すると共に、これらの複数種類のコマンドから選択される複数種類のコマンドを所定の順番で組み合わせてなるコマンドセットを繰り返し送信する送信部を備え、
前記コマンドセットに含まれる各コマンドが、同期制御信号に基づく異なるタイミングで送信され、
前記コマンドセット全体としてのビットパターンが、受信装置側において保持されているビットパターンと比較される
送信装置。
【請求項２】
前記送信部は、複数の送信モードでの送信を行うように構成され、
前記送信モードごとに、異なるコマンドセットが用意されている
請求項１に記載の送信装置。
【請求項３】
前記受信装置は、左眼用シャッタおよび右眼用シャッタを有するシャッタ眼鏡に備えられたものであり、
前記複数種類のコマンドは、それぞれ、前記左眼用シャッタもしくは前記右眼用シャッタまたはその双方の開閉駆動を指示するものであり、
前記複数の送信モードはそれぞれ、前記左眼用シャッタおよび前記右眼用シャッタの各相対的開放期間長を示す開放デューティの範囲を複数に区分したときの各区分範囲に対応する
請求項２に記載の送信装置。
【請求項４】
前記送信部は、
外部から受け取った、２値論理により表現される前記同期制御信号のデューティに基づいて、前記複数の送信モードから一の送信モードを選択し、
この選択した送信モード用に用意されているコマンドセットを前記受信装置に送信する
請求項２または請求項３に記載の送信装置。
【請求項５】
前記送信部は、前記開放デューティの値が５０％を示す送信モードでは、前記左眼用シャッタおよび前記右眼用シャッタの双方の開閉駆動をまとめて指示するコマンドである複合コマンドを用いる
請求項３に記載の送信装置。
【請求項６】
前記受信装置は、左眼用シャッタおよび右眼用シャッタを有するシャッタ眼鏡に備えられたものであり、
前記複数種類のコマンドは、それぞれ、前記左眼用シャッタもしくは前記右眼用シャッタまたはその双方の開閉駆動を指示するものである
請求項１に記載の送信装置。
【請求項７】
前記送信部は、
前記複数種類のコマンドの一部を用いて、前記左眼用シャッタおよび前記右眼用シャッタの開閉駆動をそれぞれ開状態にて停止させるためのコマンドセットである停止コマンドセットを生成し、
この停止コマンドセットを選択的に前記受信装置に送信する
請求項６に記載の送信装置。
【請求項８】
前記送信部は、外部から受け取った、２値論理により表現される前記同期制御信号のデューティまたは論理レベルに基づいて、前記停止コマンドセットの送信を決定する
請求項７に記載の送信装置。
【請求項９】
前記コマンドセットは、コマンドの有効／無効を示すビットの位置が、前記所定の順番で並べられて前記コマンドセットを構成する複数のコマンドにおける隣り合うコマンド同士の間で所定の規則性をもって変化するように構成されている
請求項１に記載の送信装置。
【請求項１０】
前記送信部は、既存の電子機器の遠隔制御に用いられる赤外光の波長とは異なる波長の赤外光、もしくは、前記既存の電子機器の遠隔制御に用いられる副搬送波周波数とは異なる周波数の副搬送波、または、その双方を用いて、前記コマンドセットを含む信号を送信する
請求項１に記載の送信装置。
【請求項１１】
複数種類の画像ストリームを順次切り換えて表示する表示部と、
前記複数種類の画像ストリームの切り換えタイミングと同期した開閉動作を行うシャッタ眼鏡に対し、複数のビットにより表現されたシャッタ制御コマンドを送信する送信部と
を備え、
前記送信部は、前記シャッタ制御コマンドを複数種類保持すると共に、これらの複数種類のシャッタ制御コマンドから選択される複数種類のシャッタ制御コマンドを所定の順番で組み合わせてなるコマンドセットを繰り返し送信し、
前記コマンドセットに含まれる各シャッタ制御コマンドが、同期制御信号に基づく異なるタイミングで送信され、
前記コマンドセット全体としてのビットパターンが、前記シャッタ眼鏡側において保持されているビットパターンと比較される
表示装置。
【請求項１２】
前記複数種類の画像が、互いに視差を有する左眼用画像および右眼用画像である
請求項１１に記載の表示装置。
【請求項１３】
複数のビットにより表現されたシャッタ制御コマンドを複数種類保持すると共にこれらの複数種類のシャッタ制御コマンドから選択される複数種類のシャッタ制御コマンドを所定の順番で組み合わせてなるコマンドセットを繰り返し送信する表示装置から、各シャッタ制御コマンドが同期制御信号に基づく異なるタイミングで送信されてなる前記コマンドセットを受信する受信部と、
受信されたコマンドセットに基づいて、前記表示装置において順次切り換えて表示される複数種類の画像ストリームの切り換えタイミングと同期した開閉動作を行う左眼用シャッタおよび右眼用シャッタと、
所定のビットパターンを保持する保持部と
を備え、
前記コマンドセット全体としてのビットパターンが、前記保持部において保持されているビットパターンと比較される
シャッタ眼鏡。
【請求項１４】
前記受信部により受信されたコマンドセット全体としてのビットパターンと、前記保持部において保持されているビットパターンとのパターンマッチングを行う判別部と、
前記判別部によるパターンマッチング結果に基づいて、前記左眼用シャッタおよび前記右眼用シャッタに対する開閉駆動を行うシャッタ駆動部と
を備えた請求項１３に記載のシャッタ眼鏡。
【請求項１５】
送信装置と、
複数種類の画像ストリームを順次切り換えて表示する表示装置における表示動作と同期した開閉動作を行うシャッタ眼鏡と
を備え、
前記送信装置は、
複数のビットにより表現されたシャッタ制御コマンドを複数種類保持すると共に、これらの複数種類のシャッタ制御コマンドから選択される複数種類のシャッタ制御コマンドを所定の順番で組み合わせてなるコマンドセットを繰り返し送信する送信部を有し、
前記シャッタ眼鏡は、
前記送信部から前記コマンドセットを受信する受信部と、
受信されたコマンドセットに基づいて、前記複数種類の画像ストリームの切り換えタイミングと同期した開閉動作を行う左眼用シャッタおよび右眼用シャッタと、
所定のビットパターンを保持する保持部と
を有し、
前記コマンドセットに含まれる各シャッタ制御コマンドが、同期制御信号に基づく異なるタイミングで送信され、
前記コマンドセット全体としてのビットパターンが、前記保持部において保持されているビットパターンと比較される
送受信システム。
【請求項１６】
複数種類の画像ストリームを順次切り換えて表示する表示装置と、
前記表示装置における表示動作と同期した開閉動作を行うシャッタ眼鏡と
を備え、
前記表示装置は、
表示部と、
複数のビットにより表現されたシャッタ制御コマンドを複数種類保持すると共に、これらの複数種類のシャッタ制御コマンドから選択される複数種類のシャッタ制御コマンドを所定の順番で組み合わせてなるコマンドセットを繰り返し送信する送信部と
を有し、
前記シャッタ眼鏡は、
前記送信部から前記コマンドセットを受信する受信部と、
受信されたコマンドセットに基づいて、前記複数種類の画像ストリームの切り換えタイミングと同期した開閉動作を行う左眼用シャッタおよび右眼用シャッタと、
所定のビットパターンを保持する保持部と
を有し、
前記コマンドセットに含まれる各シャッタ制御コマンドが、同期制御信号に基づく異なるタイミングで送信され、
前記コマンドセット全体としてのビットパターンが、前記保持部において保持されているビットパターンと比較される
表示システム。
【請求項１７】
送信装置において、
各々が複数のビットにより表現された複数種類のシャッタ制御コマンドから選択される複数種類のシャッタ制御コマンドを所定の順番で組み合わせてなるコマンドセットを、そのコマンドセットに含まれる各シャッタ制御コマンドが同期制御信号に基づく異なるタイミングで送信されるように生成すると共に、このコマンドセットを前記シャッタ眼鏡に対して繰り返し送信し、
シャッタ眼鏡において、
前記コマンドセットを受信し、
受信したコマンドセット基づいて、そのコマンドセット全体としてのビットパターンと前記シャッタ眼鏡において保持されているビットパターンとを比較すると共に、左眼用シャッタおよび右眼用シャッタがそれぞれ、複数種類の画像ストリームを順次切り換えて表示する表示装置における前記複数種類の画像ストリームの切り換えタイミングと同期した開閉動作を行う
送受信方法。
【発明の詳細な説明】
【技術分野】
【０００１】
本発明は、シャッタ眼鏡等の受信装置を用いた送受信システムおよび表示システム、ならびにそのようなシステムに好適に用いられる送信装置、シャッタ眼鏡、表示装置および送受信方法に関する。
【背景技術】
【０００２】
近年、立体視表示が可能な表示システムが注目を集めている。そのような表示システムの１つに、シャッタ眼鏡を用いた表示システムがある。この表示システムでは、互いに視差がある左眼用画像と右眼用画像とが、表示装置に交互に時分割的に表示されると共に、これらの画像の切換え（表示タイミング）に同期して、シャッタ眼鏡における左眼用シャッタおよび右眼用シャッタの開閉が切換え制御される。この切換え動作を繰り返すことにより、観察者は、これらの一連の画像からなる映像を奥行きのある立体的な映像として認識することができる。
【０００３】
このようなシャッタ眼鏡における左眼用シャッタおよび右眼用シャッタの開閉制御はそれぞれ、通常、表示装置から供給されるシャッタ制御信号に基づいて行われる（例えば、非特許文献１参照）。この非特許文献１におけるシャッタ装置の制御方法では、シャッタ制御信号として、デューティ比が５０％の信号を用いている。そして、シャッタ制御信号のレベル信号が高レベルのときには、表示装置に左眼用画像を表示すると共にシャッタ眼鏡の左眼用シャッタを開く一方、低レベルのときには、表示装置に右眼用画像を表示すると共にシャッタ眼鏡の右眼用シャッタを開くように制御している。
【先行技術文献】
【非特許文献】
【０００４】
【非特許文献１】Video Electronics Standards Association,“VESA Standard Connector and Signal Standards for Stereoscopic Display Hardware", Version1, November 5, 1997
【発明の概要】
【発明が解決しようとする課題】
【０００５】
ところで、上記表示システムを使用する環境下では、一般に、例えば他の電子機器の遠隔制御に用いられる無線信号（赤外線信号等）などが飛び交っていることが多い。したがって、表示システムにおいて表示装置（送信側）からシャッタ眼鏡（受信側）へと送られるシャッタ制御信号がそのような他の外部信号の影響を受け、ノイズ（外部ノイズ）を含んでしまうおそれがある。シャッタ制御信号に外部ノイズが含まれると、受信側において誤動作等を発生する要因となり、信頼性の高い通信の実現が困難となってしまう。
【０００６】
ところが、上記非特許文献１の手法を含め、従来のシャッタ装置の制御方法においては、そのような外部ノイズに対する対策がなされていないか、あるいは不十分であったため、通信の際の信頼性を向上させることが可能な手法の提案が望まれていた。
【０００７】
本発明はかかる問題点に鑑みてなされたもので、その目的は、送信側と受信側との間で信頼性の高い通信を実現することが可能な送信装置、表示装置、シャッタ眼鏡、送受信システム、表示システムおよび送受信方法を提供することにある。
【課題を解決するための手段】
【０００８】
本発明の送信装置は、複数のビットにより表現されたコマンドを複数種類保持すると共に、これらの複数種類のコマンドから選択される複数種類のコマンドを所定の順番で組み合わせてなるコマンドセットを繰り返し送信する送信部を備えたものである。このコマンドセットに含まれる各コマンドは、同期制御信号に基づく異なるタイミングで送信され、コマンドセット全体としてのビットパターンは、受信装置側において保持されているビットパターンと比較されるようになっている。
【０００９】
本発明の表示装置は、複数種類の画像ストリームを順次切り換えて表示する表示部と、複数種類の画像ストリームの切り換えタイミングと同期した開閉動作を行うシャッタ眼鏡に対し、複数のビットにより表現されたシャッタ制御コマンドを送信する送信部とを備えたものである。この送信部は、シャッタ制御コマンドを複数種類保持すると共に、これらの複数種類のシャッタ制御コマンドから選択される複数種類のシャッタ制御コマンドを所定の順番で組み合わせてなるコマンドセットを繰り返し送信するようになっている。上記コマンドセットに含まれる各シャッタ制御コマンドは、同期制御信号に基づく異なるタイミングで送信され、このコマンドセット全体としてのビットパターンは、シャッタ眼鏡側において保持されているビットパターンと比較されるようになっている。
【００１０】
本発明のシャッタ眼鏡は、複数のビットにより表現されたシャッタ制御コマンドを複数種類保持すると共にこれらの複数種類のシャッタ制御コマンドから選択される複数種類のシャッタ制御コマンドを所定の順番で組み合わせてなるコマンドセットを繰り返し送信する表示装置から、各シャッタ制御コマンドが同期制御信号に基づく異なるタイミングで送信されてなるコマンドセットを受信する受信部と、受信されたコマンドセットに基づいて、表示装置において順次切り換えて表示される複数種類の画像ストリームの切り換えタイミングと同期した開閉動作を行う左眼用シャッタおよび右眼用シャッタと、所定のビットパターンを保持する保持部とを備えたものである。上記コマンドセット全体としてのビットパターンは、保持部において保持されているビットパターンと比較されるようになっている。
【００１１】
本発明の送受信システムは、上記本発明の送信装置と、上記本発明のシャッタ眼鏡とを備えたものである。
【００１２】
本発明の表示システムは、上記本発明の表示装置と、上記本発明のシャッタ眼鏡とを備えたものである。
【００１３】
本発明の送受信方法は、送信装置において、各々が複数のビットにより表現された複数種類のシャッタ制御コマンドから選択される複数種類のシャッタ制御コマンドを所定の順番で組み合わせてなるコマンドセットを、そのコマンドセットに含まれる各シャッタ制御コマンドが同期制御信号に基づく異なるタイミングで送信されるように生成すると共に、このコマンドセットをシャッタ眼鏡に対して繰り返し送信し、シャッタ眼鏡において、上記コマンドセットを受信し、受信したコマンドセットに基づいて、そのコマンドセット全体としてのビットパターンとこのシャッタ眼鏡において保持されているビットパターンとを比較すると共に、左眼用シャッタおよび右眼用シャッタがそれぞれ、複数種類の画像ストリームを順次切り換えて表示する表示装置における複数種類の画像ストリームの切り換えタイミングと同期した開閉動作を行うようにしたものである。
【００１４】
本発明の送信装置、表示装置、シャッタ眼鏡、送受信システム、表示システムおよび送受信方法では、複数種類のコマンド（またはシャッタ制御コマンド）から選択される複数種類のコマンドが所定の順番で組み合わされてなり、送信装置（または送信部）から繰り返し送信されるコマンドセットにおいて、このコマンドセット全体としてのビットパターンが、受信装置（またはシャッタ眼鏡）側において保持されているビットパターンと比較される。これにより、送信側から受信側へとコマンドセットを含む信号の通信を行う際に、受信側において、そのコマンドセットが外部ノイズを含んでいるか否かの判別が容易となる。
【発明の効果】
【００１５】
本発明の送信装置、表示装置、シャッタ眼鏡、送受信システム、表示システムおよび送受信方法によれば、送信装置（または送信部）から繰り返し送信されるコマンドセット全体としてのビットパターンが、受信装置（またはシャッタ眼鏡）側において保持されているビットパターンと比較されるようにしたので、送信側から受信側へとコマンドセットを含む信号の通信を行う際に、そのコマンドセットが外部ノイズを含んでいるか否かを受信側で容易に判別することができる。よって、そのような外部ノイズの影響を低減もしくは回避し易くなり、送信側と受信側との間で信頼性の高い通信を実現することが可能となる。
【図面の簡単な説明】
【００１６】
【図１】本発明の一実施の形態に係る表示システムの一構成例を表すブロック図である。
【図２】図１に示した表示装置の一構成例を表すブロック図である。
【図３】図１に示した表示駆動部および表示部の一構成例を表すブロック図である。
【図４】図３に示した画素の一構成例を表す回路図である。
【図５】図１に示したシャッタ眼鏡の一構成例を表すブロック図である。
【図６】図１に示した表示システムにおいて用いられるコマンドの一構成例を表す図である。
【図７】図１に示した表示システムの一動作例を表す模式図である。
【図８】図１に示した同期制御信号と送信モード等との関係の一例を表す図である。
【図９】図１に示した表示システムの一動作例を表す状態遷移図である。
【図１０】図１に示した表示システムにおける定常状態時の一動作例を表すタイミング図である。
【図１１】図１０に示した動作例におけるコマンドセットおよびビットパターンを表すタイミング図である。
【図１２】図１に示した表示システムにおける開始処理時の一動作例を表すタイミング図である。
【図１３】図１に示した表示システムにおける中断・終了処理時の一動作例を表すタイミング図である。
【図１４】本発明の変形例１に係る表示システムの一構成例を表すブロック図である。
【図１５】本発明の変形例２に係る表示システムの一構成例を表すブロック図である。
【図１６】図１５に示した表示システムの一動作例を表す模式図である。
【発明を実施するための形態】
【００１７】
以下、本発明の実施の形態について、図面を参照して詳細に説明する。なお、説明は以下の順序で行う。
実施の形態（送信装置が表示装置に内蔵されてなる立体視表示システムの例）
変形例
変形例１（送信装置が表示装置の外部に設けられてなる立体視表示システムの例）
変形例２（マルチビューシステムの例）
【００１８】
＜実施の形態＞
［表示システム１の全体構成］
図１は、本発明の一実施の形態に係る表示システム（表示システム１）の全体構成を表すものである。この表示システム１は、互いに視差を有する左眼用画像と右眼用画像とを交互に時分割的に表示すると共に、これらの左眼用画像および右眼用画像の切換え（表示タイミング）に同期してシャッタ眼鏡の左右のシャッタの開閉を切換え制御することにより、立体視表示を行う立体視表示システムである。表示システム１は、本発明の一実施の形態に係る表示装置としての表示装置１０と、本発明の一実施の形態に係るシャッタ眼鏡（受信装置）としてのシャッタ眼鏡６０とを備えている。
【００１９】
［表示装置１０の詳細構成］
表示装置１０は、信号処理部２０、表示駆動部１１、表示部１２、音声増幅部１３、スピーカ１４およびシャッタ制御部１５を有している。この表示装置１０は、立体視用映像信号を含む入力信号Ｄinに基づいて、表示部１２に映像を表示すると共にスピーカ１４から音声を出力するものである。ここで、立体視用映像信号とは、互いに視差を有する左眼用画像と右眼用画像とを時間軸に沿った交互に配列してなる映像信号のことである。なお、シャッタ制御部１５が、本発明における「送信装置」および「送信部」の一具体例に対応している。
【００２０】
（信号処理部２０）
信号処理部２０は、入力信号Ｄinに基づいて、左眼用画像信号と右眼用画像信号とを含む映像信号Ｄ１と、音声信号Ｄ２とを生成するものである。この信号処理部２０はまた、シャッタ制御部１５を制御するための信号を生成し出力する機能も有している。具体的には、詳細は後述するが、信号処理部２０における映像信号処理回路２３（後述）は、左眼用画像信号と右眼用画像信号とに同期した同期制御信号Ｓｙｎｃを出力し、シャッタ制御部１５に供給するようになっている。
【００２１】
信号処理部２０は、図２に示したように、デジタルチューナ２１、ＭＰＥＧ（Moving Picture Experts Group）デコーダ２２、映像信号処理回路２３、グラフィック生成回路２４、音声信号処理回路２５、ＨＤＭＩ（High-Definition Multimedia Interface）レシーバ２６およびネットワークインターフェース２７を有している。
【００２２】
デジタルチューナ２１は、アンテナ（図示せず）において受信されアンテナ端子ＴＡを介して供給された放送波（図１における入力信号Ｄinに対応）から、所望の信号（ストリーム）を選択するものである。ＭＰＥＧデコーダ２２は、デジタルチューナ２１において選択されたストリームから映像信号と音声信号とを抽出するものである。
【００２３】
映像信号処理回路２３は、ＭＰＥＧデコーダ２２において抽出された映像信号に対して、ガンマ処理、ＹＵＶ−ＲＧＢ変換、フレーム順次出力などの映像信号処理を施すと共に、同期制御信号Ｓｙｎｃを生成する機能を有している。なお、この同期制御信号Ｓｙｎｃの生成動作の詳細については後述する。
【００２４】
グラフィック生成回路２４は、ＯＳＤ（On Screen Display）情報を生成すると共に映像信号処理回路２３から供給された映像に対して重畳させ、その出力信号を映像信号Ｄ１として表示駆動部１１に供給するものである。音声信号処理回路２５は、ＭＰＥＧデコーダ２２において抽出された音声信号に対して、サラウンド処理などの音声信号処理を施し、その出力信号を音声信号Ｄ２として音声増幅部１３に供給するものである。
【００２５】
ここで、図２に示した表示装置１０では、上述した放送波の他、複数の信号を入力信号Ｄinとして選択できるようになっている。具体的には、以下に示すように、例えばＢＤ（Blu-ray Disk）レコーダなどの外部機器からの信号や、ＩＰ（Internet Protocol）放送信号などを入力信号Ｄinとして選択することができるようになっている。
【００２６】
ＨＤＭＩレシーバ２６は、外部機器（図示せず）からＨＤＭＩ端子ＴＨを介して供給された信号を受信する回路である。このＨＤＭＩレシーバ２６は、その受信した信号から映像信号と音声信号とを抽出し、映像信号を映像信号処理回路２３に供給すると共に、音声信号を音声信号処理回路２５へ供給する機能を有している。
【００２７】
ネットワークインターフェース２７は、インターネットに接続されたネットワーク端子ＴＮを介して供給されたＩＰ放送信号を受信し、その受信した信号をＭＰＥＧデコーダ２２に供給するものである。
【００２８】
なお、信号処理部２０は、内部バス３１により互いに接続された、メモリ３２、フラッシュＲＯＭ３３およびＣＰＵ３４を更に有している。この内部バス３１は、ネットワークインターフェース２７と接続されている。信号処理部２０はまた、リモコン受信部３５を有している。このリモコン受信部３５は、外部のリモコン（図示せず）からの指示信号であるリモコン信号ＲＳ（例えば赤外線信号）を受信し、ＣＰＵ３４へ供給するようになっている。
【００２９】
（表示駆動部１１・表示部１２）
図１において、表示駆動部１１は、信号処理部２０から供給された映像信号Ｄ１に基づいて、表示部１２を駆動するための駆動信号を生成する回路である。表示部１２は、この表示駆動部１１から供給される駆動信号に基づき、左眼用画像と右眼用画像とを交互に表示するようになっている。
【００３０】
ここで、図３および図４を参照して、表示駆動部１１および表示部１２の一構成例について説明する。図３は、表示駆動部１１および表示部１２の一構成例を表すものである。図３に示したように、表示部１２は、液晶表示デバイス４５およびバックライト４６を有している。また、表示駆動部１１は、タイミング制御部４１、ゲートドライバ４２、データドライバ４３およびバックライト駆動部４４を有している。
【００３１】
液晶表示デバイス４５は、データドライバ４３から供給される画素信号に基づいて画像表示を行うものである。この液晶表示デバイス４５では、画素５０がマトリクス状に配列されている。
【００３２】
各画素５０は、図４に示したように、ＴＦＴ（Thin Film Transistor）素子５１、液晶素子５２および保持容量素子５３を有している。ＴＦＴ素子５１は、例えばＭＯＳ−ＦＥＴ（Metal Oxide Semiconductor-Field Effect Transistor）により構成されている。このＴＦＴ素子５１は、ゲートがゲート線Ｇに接続され、ソースがデータ線Ｄに接続され、ドレインが液晶素子５２の一端および保持容量素子５３の一端にそれぞれ接続されている。液晶素子５２は、一端がＴＦＴ素子５１のドレインに接続され、他端は接地されている。保持容量素子５３は、一端がＴＦＴ素子５１のドレインに接続され、他端は保持容量線Ｃｓに接続されている。なお、ゲート線Ｇはゲートドライバ４２に接続され、データ線Ｄはデータドライバ４３に接続されている。
【００３３】
バックライト４６は、液晶表示デバイス４５に対して光を照射する光源であり、例えばＬＥＤ（Light Emitting Diode）やＣＣＦＬ（Cold Cathode Fluorescent Lamp）等を用いて構成されている。
【００３４】
タイミング制御部４１は、ゲートドライバ４２、データドライバ４３およびバックライト駆動部４４の駆動タイミングを制御すると共に、信号処理部２０から供給された映像信号Ｄ１をデータドライバ４２へ供給するものである。ゲートドライバ４２は、タイミング制御部４１によるタイミング制御に従って、液晶表示デバイス４５内の画素５０を列ごとに選択して、線順次走査するものである。データドライバ４３は、液晶表示デバイス４５の各画素５０へ、映像信号Ｄ１に基づく画素信号を供給するものである。具体的には、映像信号Ｄ１に対してＤ／Ａ（デジタル／アナログ）変換を施すことにより、アナログ信号である画素信号を生成し、各画素５０へ供給するようになっている。バックライト駆動部４４は、タイミング制御部４１によるタイミング制御に従って、バックライト４６の点灯動作を制御するものである。
【００３５】
このような構成により、表示部１２では、ゲートドライバ４２により選択された画素５０に対して、データドライバ４３から画素信号が供給される。その結果、バックライト４６からの光が、その画素５０の液晶素子５２により変調される。これらの動作が、液晶表示デバイス４５の表示面に対して線順次走査により行われることにより、画像が表示される。表示部１２は、交互に供給される左眼用画像信号および右眼用画像信号のそれぞれに対してこのような表示動作を行うことにより、左眼用画像と右眼用画像とを交互に時分割表示するようになっている。
【００３６】
（音声増幅部１３・スピーカ１４）
図１において、音声増幅部１３は、信号処理部２０から供給された音声信号Ｄ２を増幅するものである。また、スピーカ１４は、音声増幅部１３において増幅された音声信号を出力するものである。
【００３７】
（シャッタ制御部１５）
シャッタ制御部１５は、信号処理部２０から供給された同期制御信号Ｓｙｎｃに基づいてシャッタ制御信号ＣＴＬを生成し、例えば赤外線や電波などを用いた無線通信によりシャッタ眼鏡６０へ供給するものである。このシャッタ制御信号ＣＴＬは、シャッタ眼鏡６０の開閉動作を制御する為のコード化された信号であると共に、後述するコマンドセットＣＳを含む信号であり、表示装置１０に表示される左眼用画像および右眼用画像に同期した信号となっている。ここで、コマンドセットＣＳとは、複数種類のシャッタ制御コマンドＣＭＤから選択される１種以上（ここでは２種以上）のシャッタ制御コマンドＣＭＤを、所定の順番で組み合わせてなるものである。なお、詳細は後述するが、シャッタ制御部１５は、立体映像を視認する際のクロストーク現象（映像の混ざりこみ）やフリッカー（映像のちらつき）を抑えること等を目的として、複数の送信モードでの送信を行うように構成されている。そして、これらの複数の送信モードごとに、異なるコマンドセットＣＳが用意されるようになっている。
【００３８】
このシャッタ制御部１５は、図２に示したように、シャッタ制御信号生成部１５１、ビットパターン保持部１５２および送信部１５３を有している。
【００３９】
ビットパターン保持部１５２は、後述する複数のビットにより表現されたシャッタ制御コマンドＣＭＤを複数種類保持するものである。具体的には、複数種類のシャッタ制御コマンドＣＭＤごとのビットパターン、および上記した複数の送信モードごとのシャッタ制御コマンドＣＭＤの送信順序（コマンドセットＣＳ全体としてのビットパターン）を保持している。
【００４０】
シャッタ制御信号生成部１５１は、同期制御信号Ｓｙｎｃに基づいてシャッタ制御信号ＣＴＬを生成し、送信部１５３へ供給するものである。具体的には、まず、同期制御信号Ｓｙｎｃのデューティに基づいて、複数の送信モードから一の送信モードを選択する。そして、ビットパターン保持部１５２に保持されている複数種類のシャッタ制御コマンドＣＭＤを用いて、選択した送信モード用に用意されているコマンドセットＣＳを含むシャッタ制御信号ＣＴＬを生成するようになっている。なお、このようなシャッタ制御信号（コマンドセットＣＳ）の生成動作の詳細については後述する。
【００４１】
送信部１５３は、例えば赤外線や電波などを用いた無線通信によりシャッタ制御信号ＣＴＬを送信し、シャッタ眼鏡６０に供給するものである。具体的には、シャッタ制御信号生成部１５１により生成されたコマンドセットＣＳを、繰り返し送信するようになっている。なお、この例では、送信部１５３は、シャッタ制御信号ＣＴＬを無線通信により伝送するものとしているが、有線通信により伝送するようにしてもよい。
【００４２】
この際、送信部１５３は、既存の電子機器（例えば、図示しないリモコンなど）の遠隔制御に用いられる赤外光の波長とは異なる波長の赤外光、もしくは、その遠隔制御に用いられる副搬送波周波数とは異なる副搬送波周波数、または、その双方を用いて、シャッタ制御信号ＣＴＬを送信するようにするのが望ましい。具体的には、例えばリモコンの遠隔制御に用いられる赤外光では、一般に、波長が９４０ｎｍ程度、副搬送波周波数が４０ｋＨｚ程度であることから、シャッタ制御信号ＣＴＬに用いる赤外光として、一例として、波長が８５０ｎｍ程度、副搬送波周波数が２５ｋＨｚ程度であるものを用いることが可能である。これにより、シャッタ制御信号ＣＴＬと、上記した既存の電子機器に対する遠隔制御信号（例えば、図２中に示したリモコン信号ＲＳ）との間の干渉を避けることができ、シャッタ制御信号ＣＴＬ内に外部ノイズが含まれることを低減もしくは回避することができる。
【００４３】
［シャッタ眼鏡６０の詳細構成］
シャッタ眼鏡６０は、表示装置１０の観察者（図示せず）が用いることにより、立体視を可能とするものである。このシャッタ眼鏡６０は、図１に示したように、左眼用シャッタ６Ｌおよび右眼用シャッタ６Ｒを有している。これらの左眼用シャッタ６Ｌおよび右眼用シャッタ６Ｒにおける遮光状態（開状態および閉状態）は、シャッタ制御部１５から供給されるシャッタ制御信号ＣＴＬにより制御されるようになっている。
【００４４】
図５は、シャッタ眼鏡６０の詳細構成例を表すものである。シャッタ眼鏡６０は、受信部６１、判別回路６２（判別部）、ビットパターン保持部６３（保持部）、シャッタ駆動回路６４（駆動部）、左眼用シャッタ６Ｌおよび右眼用シャッタ６Ｒを有している。
【００４５】
受信部６１は、表示装置１０内の送信部２９より無線通信により供給されたシャッタ制御信号ＣＴＬを受信するものである。すなわち、受信部６１は、前述したコマンドセットＣＳを繰り返し送信する表示装置１０内の送信部２９から、そのコマンドセットＣＳを受信するようになっている。
【００４６】
ビットパターン保持部６３は、受信部６１において受信すると予想（想定）されるコマンドセットＣＳ全体で形成されるビットパターンと、同一のビットパターンを保持するものである。言い換えると、ビットパターン保持部６３は、シャッタ制御部１５内のビットパターン保持部１５２と同一のビットパターンを予め保持している。すなわち、シャッタ制御コマンドＣＭＤを複数種類保持しており、複数種類のシャッタ制御コマンドＣＭＤごとのビットパターン、および前述した複数の送信モードごとのシャッタ制御コマンドＣＭＤの送信順序（コマンドセットＣＳ全体としてのビットパターン）を保持している。
【００４７】
判別回路６２は、受信部６１において受信したシャッタ制御信号ＣＴＬの制御コード（コマンドセットＣＳ全体のビットパターン）を解読し、左眼用シャッタ６Ｌおよび右眼用シャッタ６Ｒへの開閉指示を判別するものである。具体的には、受信したコマンドセットＣＳ全体におけるビットパターンと、ビットパターン保持部６３において保持されている、対応する送信モードにおけるビットパターンとの同一性を判別するようになっている。
【００４８】
シャッタ駆動回路６４は、判別回路６２から供給された信号（判別結果を示す信号）に基づいて、左眼用シャッタ６Ｌおよび右眼用シャッタ６Ｒに対して、それらの開閉動作の駆動を行う回路である。具体的には、左眼用シャッタ６Ｌに対する左眼用シャッタ制御信号ＣＴＬＬを生成して左眼用シャッタ６Ｌに供給すると共に、右眼用シャッタ６Ｒに対する右眼用シャッタ制御信号ＣＴＬＲを生成して右眼用シャッタ６Ｒに供給するようになっている。
【００４９】
左眼用シャッタ６Ｌは、シャッタ駆動回路６３から供給された左眼用シャッタ制御信号ＣＴＬＬに基づいて、シャッタの開閉動作を行うものである。右眼用シャッタ６Ｒは、シャッタ駆動回路６３から供給された右眼用シャッタ制御信号ＣＴＬＲに基づいて、シャッタの開閉動作を行うものである。これらの左眼用シャッタ６Ｌおよび右眼用シャッタ６Ｒはそれぞれ、例えば液晶シャッタなどの遮光シャッタにより構成されている。
【００５０】
［シャッタ制御信号ＣＴＬの詳細構成］
次に、図６を参照して、シャッタ制御信号ＣＴＬの詳細構成について説明する。図６は、シャッタ制御信号ＣＴＬに含まれるシャッタ制御コマンドＣＭＤの一構成例を表すものである。図６において、（Ａ）はシャッタ制御コマンドＣＭＤの全体構成例を示し、（Ｂ）はシャッタ制御コマンドＣＭＤの内容とコマンドビットＣＢのビットパターンとの関係を規定するコマンドテーブルＣＴの一例を示し、（Ｃ）はシャッタ制御コマンドＣＭＤのタイミング波形（パルス波形）の一例を示す。
【００５１】
シャッタ制御コマンドＣＭＤは、例えば図６（Ａ）に示したように、１ビットからなるスタートビットＳＢと、４ビットからなるコマンドビットＣＢ（上位ビット側から下位ビット側へと順に、ＣＢ４〜ＣＢ１）とを含んでいる。
【００５２】
スタートビットＳＢは、シャッタ制御信号コマンドＣＭＤにおける制御コードのプリアンブルとして機能するものであり、所定のビットにより構成されている。なお、シャッタ眼鏡６０における判別回路６２は、このスタートビットＳＢを検出して、コマンドビットＣＢの検出を行うようになっている。
【００５３】
（コマンドビットＣＢ）
コマンドビットＣＢは、例えば図６（Ｂ）中に示したコマンドテーブルＣＴにおける各制御コマンドＣＭＤの内容（「Ａ」〜「Ｆ」）のように、複数種類（ここでは６種類）の制御コマンドＣＭＤの具体的な内容を規定するためのものである。言い換えると、コマンドビットＣＢは、シャッタ眼鏡６０における左眼用シャッタ６Ｌもしくは右眼用シャッタ６Ｒまたはその双方の開閉駆動を指示するためのものである。
【００５４】
具体的には、ここでは、コマンドビットＣＢが「１０００」（ＣＢ４＝「１」，ＣＢ３＝「０」，ＣＢ２＝「０」，ＣＢ１＝「０」）のとき、シャッタ制御コマンドＣＭＤの内容（「Ａ」）は、左眼用シャッタ６Ｌの閉動作（「L−Close」）を指示するものとなっている。同様に、コマンドビットＣＢが「０１００」のとき、シャッタ制御コマンドＣＭＤの内容（「Ｂ」）は、左眼用シャッタ６Ｌの開動作（「L−Open」）を指示するものとなっている。コマンドビットＣＢが「００１０」のとき、シャッタ制御コマンドＣＭＤの内容（「Ｃ」）は、右眼用シャッタ６Ｒの閉動作（「R−Close」）を指示するものとなっている。コマンドビットＣＢが「０００１」のとき、シャッタ制御コマンドＣＭＤの内容（「Ｄ」）は、右眼用シャッタ６Ｒの開動作（「R−Open」）を指示するものとなっている。また、コマンドビットＣＢが「１０１０」のとき、シャッタ制御コマンドＣＭＤの内容（「Ｅ」）は、左眼用シャッタ６Ｌの開動作および右眼用シャッタ６Ｒの閉動作（「L−Open／R−Close」）をそれぞれ指示するものとなっている。同様に、コマンドビットＣＢが「０１０１」のとき、シャッタ制御コマンドＣＭＤの内容（「Ｆ」）は、右眼用シャッタ６Ｒの開動作および左眼用シャッタ６Ｌの閉動作（「R−Open／L−Close」）をそれぞれ指示するものとなっている。すなわち、シャッタ制御コマンドＣＭＤの内容が「Ｅ」，「Ｆ」のときは、左眼用シャッタ６Ｌの動作および右眼用シャッタ６Ｒの動作をまとめて指示するもの（複合コマンド）となっている。なお、ここでは、コマンドビットＣＢにおけるその他のビットパターンについては使用されないようになっている。
【００５５】
このような構成からなるシャッタ制御コマンドＣＭＤは、具体的には例えば図６（Ｃ）に示したようなタイミング波形（パルス波形）となっている（シャッタ制御コマンドＣＭＤの内容が「Ｂ」のときの例）。すなわち、ここではスタートビットＳＢは３パルスで構成されると共に、コマンドビットＣＢにおける各ビットＣＢ４〜ＣＢ１はそれぞれ、２パルスで構成されている。なお、図中のＴｂ１，Ｔｂ２はそれぞれ、スタートビットＳＢとコマンドビットＣＢとの間のブランク期間Ｔｂ１、およびコマンドビットＣＢと次のシャッタ制御コマンドＣＭＤとの間のブランク期間Ｔｂ２を示している。
【００５６】
［表示システムの作用・効果］
続いて、本実施の形態の表示システム１の作用および効果について説明する。
【００５７】
（１．全体動作の概要）
信号処理部２０は、互いに視差を有する左眼用画像と右眼用画像とを交互に配列してなる立体視用映像信号を含む入力信号Ｄinに基づいて、映像信号Ｄ１および音声信号Ｄ２を生成する。具体的には、信号処理部２０のデジタルチューナ２１は、アンテナにおいて受信されアンテナ端子ＴＡを介して供給された放送波（入力信号Ｄin）から、所望の信号（ストリーム）を選択する。ＭＰＥＧデコーダ２２は、デジタルチューナ２１において選択されたストリームから、映像信号および音声信号を抽出する。映像信号処理回路２３は、ＭＰＥＧデコーダ２２において抽出された映像信号に対して映像信号処理を行うと共に、同期制御信号Ｓｙｎｃを生成する。グラフィック生成回路２４は、ＯＳＤ情報を生成し、映像信号処理回路２３から供給された映像に重畳させ、映像信号Ｄ１を生成する。音声信号処理回路２５は、ＭＰＥＧデコーダ２２において抽出された音声信号に対して音声信号処理を行い、音声信号Ｄ２を生成する。表示駆動部１１は、映像信号Ｄ１に基づいて表示部１２を駆動する。表示部１２は、表示駆動部１１から供給される信号に基づいて、左眼用画像と右眼用画像とを交互に表示する。音声増幅部１３は、音声信号Ｄ２を増幅し、スピーカ１４を駆動する。スピーカ１４は、音声信号を音声として出力する。
【００５８】
シャッタ制御部１５は、映像信号処理回路２３から供給された同期制御信号Ｓｙｎｃに基づいて、表示装置１０における左眼用画像および右眼用画像の表示に同期したシャッタ制御信号ＣＴＬを生成し、無線通信によりシャッタ眼鏡６０に供給する。
【００５９】
シャッタ眼鏡６０の受信部６１は、シャッタ制御部１５より無線通信により供給されたシャッタ制御信号ＣＴＬを受信する。判別回路６２は、受信部６１において受信したシャッタ制御信号ＣＴＬの制御コード（コマンドセットＣＳ全体のビットパターン）を解読し、左眼用シャッタ６Ｌおよび右眼用シャッタ６Ｒへの開閉指示を判別する。具体的には、受信したコマンドセットＣＳ全体におけるビットパターンと、ビットパターン保持部６３において保持されている、対応する送信モードにおけるビットパターンとの同一性を判別する。シャッタ駆動回路６４は、判別回路６２から供給された信号（判別結果を示す信号）に基づいて、左眼用シャッタ制御信号ＣＴＬＬを生成して左眼用シャッタ６Ｌに供給すると共に、右眼用シャッタ制御信号ＣＴＬＲを生成して右眼用シャッタ６Ｒに供給する。左眼用シャッタ６Ｌは、左眼用シャッタ制御信号ＣＴＬＬに基づいてシャッタの開閉動作を行い、右眼用シャッタ６Ｒは、右眼用シャッタ制御信号ＣＴＬＲに基づいてシャッタの開閉動作を行う。
【００６０】
図７は、表示システム１の全体動作を模式的に表すものである。図７において、（Ａ）は左眼用画像Ｌを表示したとき（表示光ＬＬが出射されているとき）の動作を示し、（Ｂ）は右眼用画像Ｒを表示したとき（表示光ＬＲが出射されているとき）の動作を示す。
【００６１】
表示装置１０が左眼用画像Ｌを表示しているとき、シャッタ眼鏡６０では、図７（Ａ）に示したように、左眼用シャッタ６Ｌが開状態となると共に、右眼用シャッタ６Ｒが閉状態となる。このとき、観察者９は左眼９Ｌで左眼用画像Ｌを見ることになる。一方、表示装置１０が右眼用画像Ｒを表示しているとき、シャッタ眼鏡６０では、図７（Ｂ）に示したように、左眼用シャッタ６Ｌが閉状態となると共に、右眼用シャッタ６Ｒが開状態となる。このとき、観察者９は右眼９Ｒで右眼用画像Ｒを見ることになる。これらの動作が交互に繰り返されると、左眼用画像Ｌと右眼用画像Ｒとの間には視差があるため、観察者９は、これらの一連の画像からなる映像を奥行きのある立体的な映像として認識することができる。
【００６２】
（２．シャッタ制御信号ＣＴＬの生成・送受信動作）
次に、図８〜図１３等を参照して、信号処理部２０およびシャッタ制御部１５によるシャッタ制御信号ＣＴＬの生成、ならびにシャッタ制御部１５およびシャッタ眼鏡６０によるシャッタ制御信号ＣＴＬの送受信動作について、詳細に説明する。
【００６３】
（２−１．信号処理部２０による同期制御信号Ｓｙｎｃの生成動作）
まず、信号処理部２０内の映像信号処理回路２３は、例えば、映像信号（左眼用映像信号および右眼用映像信号）の内容や切り換えタイミング、ユーザからのリモコン信号ＲＳを介した指示内容等に基づいて、同期制御信号Ｓｙｎｃを生成する。
【００６４】
図８は、このようにして生成される同期制御信号Ｓｙｎｃと、前述したシャッタ制御信号ＣＴＬにおける送信モード等との関係の一例を表すものである。
【００６５】
図８（Ａ）に示したように、同期制御信号Ｓｙｎｃは２値論理により表現される信号となっている。具体的には、この同期制御信号Ｓｙｎｃでは、その１周期期間（例えば、１００ｍｓ〜４ｍｓ程度）の前半に、論理値状態が「Ｈ（ハイ）」であるＨ期間ＴＨが設けられると共に、後半に論理値状態が「Ｌ（ロー）」であるＬ期間ＴＬが設けられている。ただし、同期制御信号Ｓｙｎｃのデューティ（ＴＨ／Ｔsync）（％）は、以下説明するように、基本的に０％〜１００％の間の任意の値を取り得るものとなっている（例えば、図８（Ａ）に示した例では、デューティ＝約４８％）。また、この同期制御信号Ｓｙｎｃのデューティ（ＴＨ／Ｔsync）は、基本的に、左眼用シャッタ６Ｌおよび右眼用シャッタ６Ｒの各相対的開放期間長（Open期間長）を示す開放デューティＤｕｔｙ（％）を規定するものとなっている。
【００６６】
また、例えば図８（Ｂ）に示したように、この同期制御信号Ｓｙｎｃのデューティ（ＴＨ／Ｔsync）（％）の大きさ（上記した左眼用シャッタ６Ｌおよび右眼用シャッタ６Ｒの開放デューティＤｕｔｙ（％）の大きさ）に応じて、シャッタ制御信号ＣＴＬにおける送信モード等が決定されるようになっている。すなわち、複数の送信モードはそれぞれ、開放デューティＤｕｔｙ（％）の範囲（同期制御信号Ｓｙｎｃのデューティ（ＴＨ／Ｔsync）（％）の範囲）を複数に区分したときの各デューティ区分範囲ΔＤｕｔｙ１〜ΔＤｕｔｙ３に対応している。
【００６７】
具体的には、ここでは、同期制御信号Ｓｙｎｃのデューティ（ＴＨ／Ｔsync）が５％以上かつ４４％未満（デューティ区分範囲ΔＤｕｔｙ１）のときには、後述する送信モードＡ（５％≦Ｄｕｔｙ＜４４％）となる。また、同期制御信号Ｓｙｎｃのデューティ（ＴＨ／Ｔsync）が４５％以上かつ５５％以下（デューティ区分範囲ΔＤｕｔｙ２）のときには、後述する送信モードＢ（Ｄｕｔｙ＝５０％）となる。同期制御信号Ｓｙｎｃのデューティ（ＴＨ／Ｔsync）が５６％よりも大きくかつ９５％以下（デューティ区分範囲ΔＤｕｔｙ３）のときには、後述する送信モードＣ（５６％＜Ｄｕｔｙ≦９５％）となる。すなわち、送信モードＡ，Ｃでは、同期制御信号Ｓｙｎｃのデューティ（ＴＨ／Ｔsync）の値が、そのまま開放デューティＤｕｔｙの値となる（開放デューティＤｕｔｙが変動値である）。一方、送信モードＢでは、同期制御信号Ｓｙｎｃのデューティ（ＴＨ／Ｔsync）の値によらず、開放デューティＤｕｔｙの値が固定値（５０％）となる。
【００６８】
なお、同期制御信号Ｓｙｎｃのデューティ（ＴＨ／Ｔsync）が５％未満または９５％よりも大きいときには、後述する中断・終了処理が行われるモードとなる。また、同期制御信号Ｓｙｎｃのデューティ（ＴＨ／Ｔsync）が、４４％以上かつ４５％未満、または５５％よりも大きくかつ５６％以下のときには、後述する混在エリア処理が行われるモードとなる。
【００６９】
このようにして、映像信号処理回路２３は、映像信号の内容や切り換えタイミング、ユーザからのリモコン信号ＲＳを介した指示内容等に基づいて、同期制御信号Ｓｙｎｃのデューティ（ＴＨ／Ｔsync）の設定することにより、同期制御信号Ｓｙｎｃを生成する。
【００７０】
（２−２．シャッタ制御部１５によるシャッタ制御信号ＣＴＬの生成・送信動作）
次に、シャッタ制御部１５は、このようにして生成された同期制御信号Ｓｙｎｃに基づいて、前述した複数種類のシャッタ制御コマンドＣＭＤのうちから選択した１種以上（ここでは２種以上）のシャッタ制御コマンドＣＭＤを所定の順番で組み合わせてなるコマンドセットＣＳを生成する。そして、生成したコマンドセットＣＳをシャッタ眼鏡６０に対して繰り返し送信することにより、シャッタ制御信号ＣＴＬの送信動作を行う。
【００７１】
具体的には、シャッタ制御部１５内のシャッタ制御信号生成部１５１は、同期制御信号Ｓｙｎｃに基づいてシャッタ制御信号ＣＴＬを生成し、送信部１５３へ供給する。詳細には、シャッタ制御信号生成部１５１は、まず、同期制御信号Ｓｙｎｃのデューティ（ＴＨ／Ｔsync）の値に応じて、複数の送信モードから一の送信モードを選択する（あるいは、場合によっては前述した他の処理モードを選択する）。すなわち、例えば図８（Ｂ）に示したように、同期制御信号Ｓｙｎｃのデューティ（ＴＨ／Ｔsync）が５％以上かつ４４％未満のときには、送信モードＡ（５％≦Ｄｕｔｙ＜４４％）を選択する。同様に、同期制御信号Ｓｙｎｃのデューティ（ＴＨ／Ｔsync）が４５％以上かつ５５％以下のときには、送信モードＢ（Ｄｕｔｙ＝５０％）を選択する。同期制御信号Ｓｙｎｃのデューティ（ＴＨ／Ｔsync）が５６％よりも大きくかつ９５％以下のときには、送信モードＣ（５６％＜Ｄｕｔｙ≦９５％）を選択する。
【００７２】
次に、シャッタ制御信号生成部１５１は、ビットパターン保持部１５２に保持されている複数種類のシャッタ制御コマンドＣＭＤを用いて、図１０〜図１３を用いて後述する、選択した送信モード用に用意されているコマンドセットＣＳを含むシャッタ制御信号ＣＴＬを生成する。このとき、シャッタ制御信号生成部１５１は、コマンドセットＣＳ全体として形成されるビットパターンが、後述するシャッタ眼鏡６０内のビットパターン保持部６３において保持されているビットパターンと同一となるように、コマンドセットＣＳのビットパターン（シャッタ制御コマンドＣＭＤの並び順）を設定する。そして、このようにして生成されたコマンドセットＣＳを含むシャッタ制御信号ＣＴＬが、送信部１５３からシャッタ眼鏡６０に対して送信される。
【００７３】
ここで、図９は、シャッタ制御信号生成部１５１における、同期制御信号Ｓｙｎｃのデューティ（ＴＨ／Ｔsync）の値に応じたモード選択動作の一例を状態遷移図で表したものであり、図８（Ｂ）に示した動作に対応して示している。
【００７４】
最初に（表示装置１０の電源がオン状態となると）、シャッタ制御信号生成部１５１は、同期制御信号Ｓｙｎｃの初期検出処理を行う（図９のステップＳ１）。具体的には、この同期制御信号Ｓｙｎｃの周波数ｆｓｙｎｃおよびデューティ（ＴＨ／Ｔsync）の値がそれぞれ、以下説明する定常状態（立体映像表示を行っているときの通常状態）（送信モードＡ〜Ｃ）での送信動作（あるいは混在エリア処理）を行うための所定の範囲内にあるか否かの判断を行う。
【００７５】
具体的には、周波数ｆｓｙｎｃの値が１０Ｈｚ以上かつ２５０Ｈｚ以下であると共に、デューティ（ＴＨ／Ｔsync）の値が５％以上かつ９５％以下である場合には、以下のＳｙｎｃデューティ（ＴＨ／Ｔsync）検出処理（ステップＳ２）へと移行する。一方、周波数ｆｓｙｎｃおよびデューティ（ＴＨ／Ｔsync）のうちの少なくとも一方の値が、これらの範囲から外れた値となっているときには、双方がこれらの範囲内の値となるまで初期検出処理を継続して行う。
【００７６】
次に、シャッタ制御信号生成部１５１は、同期制御信号Ｓｙｎｃのデューティ（ＴＨ／Ｔsync）の検出処理を行う（ステップＳ２）。そして、このデューティ（ＴＨ／Ｔsync）の値に応じて、前述したように、複数の送信モードＡ〜Ｃから一の送信モードを選択して送信動作を行う。すなわち、送信モードＡ処理（ステップＳ３）、送信モードＢ処理（ステップＳ４）または送信モードＣ処理（ステップＳ５）を選択して送信動作を行う。あるいは、デューティ（ＴＨ／Ｔsync）の値によっては、他の処理モード（混在エリア処理（ステップＳ６）または中断・終了処理（ステップＳ７））を行う。
【００７７】
具体的には、同期制御信号Ｓｙｎｃのデューティ（ＴＨ／Ｔsync）が５％以上かつ４４％未満のときには、送信モードＡ処理（５％≦Ｄｕｔｙ＜４４％）を選択する。また、同期制御信号Ｓｙｎｃのデューティ（ＴＨ／Ｔsync）が４５％以上かつ５５％以下のときには、送信モードＢ処理（Ｄｕｔｙ＝５０％）を選択する。同期制御信号Ｓｙｎｃのデューティ（ＴＨ／Ｔsync）が５６％よりも大きくかつ９５％以下のときには、送信モードＣ処理（５６％＜Ｄｕｔｙ≦９５％）を選択する。一方、同期制御信号Ｓｙｎｃのデューティ（ＴＨ／Ｔsync）が５％未満または９５％よりも大きいときには、中断・終了処理を選択する。また、同期制御信号Ｓｙｎｃのデューティ（ＴＨ／Ｔsync）が、４４％以上かつ４５％未満、または５５％よりも大きくかつ５６％以下のときには、混在エリア処理を選択する。
【００７８】
（定常状態での動作）
ここで、最初に、定常状態（送信モードＡ〜Ｃ）での送信動作について詳細に説明する。
【００７９】
図１０は、定常状態時の一動作例をタイミング図で表したものである。図１０（および後述する図１２，図１３）において、（Ａ），（Ｄ）は送信モードＡ処理時の動作を示し、（Ｂ），（Ｅ）は送信モードＢ処理時の動作を示し、（Ｃ），（Ｆ）は送信モードＣ処理時の動作を示す。また、（Ａ）〜（Ｃ）ではそれぞれ、図中の上から順に、シャッタ制御信号ＣＴＬに基づいて生成される左眼用シャッタ制御信号ＣＴＬＬおよび右眼用シャッタ制御信号ＣＴＬＲのタイミング波形（パルス波形）、シャッタ制御信号ＣＴＬに含まれるシャッタ制御コマンドＣＭＤの内容（図６（Ｂ）中の「Ａ」〜「Ｆ」に対応）、ならびに同期制御信号Ｓｙｎｃのタイミング波形（パルス波形）を示している。一方、（Ｄ）〜（Ｆ）ではそれぞれ、コマンドセットＣＳを構成する各シャッタ制御コマンドＣＭＤの時間軸に沿った並び順、ならびに各シャッタ制御コマンドＣＭＤの内容（「Ａ」〜「Ｆ」）およびコマンドビットＣＢの各ビット（ＣＢ４〜ＣＢ１）の論理値を示している。ただし、図示の簡略化のため、各シャッタ制御コマンドの内容のうちの「Ｅ」，「Ｆ」については、図６（Ｂ）中の「L−Open／R−Close」，「R−Open／L−Close」をそれぞれ、「L−O／R−C」，「R−O／L−C」と示している。同様に、コマンドビットＣＢの各ビットＣＢ４〜ＣＢ１の論理値については、「１」のみを示し、「０」の図示は省略している。なお、ここでは（Ａ）〜（Ｃ）中に図示したように、左眼用シャッタ６Ｌは、左眼用シャッタ制御信号ＣＴＬＬが「Ｈ」レベルの時に開状態（Open状態）となり、「Ｌ」レベルの時に閉状態（Close状態）になるものとする。同様に、右眼用シャッタ６Ｒは、右眼用シャッタ制御信号ＣＴＬＲが「Ｈ」レベルの時に開状態となり、「Ｌ」レベルの時に閉状態になるものとする。
【００８０】
まず、図１０（Ａ），（Ｄ）に示した送信モードＡ処理のときには、５％≦開放デューティＤｕｔｙ＜４４％であるため、シャッタ制御コマンドＣＭＤの内容は、「Ｂ」（L−Open），「Ａ」（L−Close），「Ｄ」（R−Open），「Ｃ」（R−Close），…の順に繰り返したものとなる。したがって、このときのコマンドセットＣＳは、図１０（Ｄ）および図１１（Ａ）に示したように、４つのシャッタ制御コマンドＣＭＤを、「Ｂ」，「Ａ」，「Ｄ」，「Ｃ」の順に並べたものとなる。そして、このコマンドセットＣＳ全体としてのビットパターンは、図１１（Ａ）に示したように、「０１００１００００００１００１０」となる。
【００８１】
また、図１０（Ｂ），（Ｅ）に示した送信モードＢ処理のときには、開放デューティＤｕｔｙ＝５０％であるため、図１０（Ｂ）に示したように、左眼用シャッタ６Ｌおよび右眼用シャッタ６Ｒの動作切り換えタイミングが同時に行われることになる。このため、この送信モードＢ処理では、シャッタ制御コマンドＣＭＤの内容は、複合コマンドを用いたものとなり、「Ｅ」（L−Open／R−Close），「Ｆ」（R−Open／L−Close），…の順に繰り返したものとなる。したがって、このときのコマンドセットＣＳは、図１０（Ｅ）および図１１（Ｂ）に示したように、２つのシャッタ制御コマンドＣＭＤ（２つの複合コマンド）を、「Ｅ」，「Ｆ」，の順に交互に並べたものとなる。そして、このコマンドセットＣＳ全体としてのビットパターンは、図１１（Ｂ）に示したように、「１０１００１０１」となる。
【００８２】
また、図１０（Ｃ），（Ｆ）に示した送信モードＣ処理のときには、５６％＜開放デューティＤｕｔｙ≦９５％であるため、シャッタ制御コマンドＣＭＤの内容は、「Ｂ」（L−Open），「Ｃ」（R−Close），「Ｄ」（R−Open），「Ａ」（L−Close），…の順に繰り返したものとなる。したがって、このときのコマンドセットＣＳは、図１０（Ｆ）および図１１（Ｃ）に示したように、４つのシャッタ制御コマンドＣＭＤを、「Ｂ」，「Ｃ」，「Ｄ」，「Ａ」の順に並べたものとなる。そして、このコマンドセットＣＳ全体としてのビットパターンは、図１１（Ｃ）に示したように、「０１００００１００００１１０００」となる。
【００８３】
このようにして、本実施の形態では、複数の送信モード（ここでは、３つの送信モードＡ〜Ｃ）ごとに、異なるビットパターンからなるコマンドセットＣＳが生成され、シャッタ制御信号ＣＴＬに含まれて繰り返し送信される。
【００８４】
（開始処理での動作）
次に、前述した図８（Ｂ）および図９には図示されていないが、所定の開始処理の際の動作について説明する。この開始処理は、表示装置１０の電源立ち上げ時や、表示装置１０において２次元表示モードから３次元（立体映像）表示モードへと表示モードを移行する際に行われる処理である。
【００８５】
具体的には、例えば図１２（Ａ）〜（Ｃ）に示したように、開始処理時の各送信モード処理（送信モードＡ処理，送信モードＢ処理，送信モードＣ処理）での送信動作は、基本的には図１０（Ａ）〜（Ｃ）に示した定常状態での送信動作と同様となっている。すなわち、各送信モードでのコマンドセットＣＳのビットパターンは、図１１（Ａ）〜（Ｃ）に示した定常状態でのビットパターンと同一となっている。ただし、図１２（Ａ）〜（Ｃ）に示したように、３次元表示モードへと移行する前（２次元表示モード時）では、左眼用シャッタ６Ｌおよび右眼用シャッタ６Ｒの双方が開状態（Open状態）となっている。
【００８６】
なお、この開始処理時には、シャッタ眼鏡６０側では、コマンドセットＣＳにおけるビットパターンを複数回連続して受信したものと判別したときに、初めて表示モードの移行指示を認識し、３次元表示モードでの動作を開始する。
【００８７】
（混在エリア処理での動作）
次に、混在エリア処理（図９中のステップＳ６）の際の動作について説明する。この混在エリア処理は、基本的には使用されない処理であるが、仮に同期制御信号Ｓｙｎｃのデューティ（ＴＨ／Ｔsync）の値によってこの処理へと遷移した場合、以下のようにしてなされる。すなわち、この混在エリア処理では、その直前の送信モード処理（送信モードＡ処理、送信モードＢ処理または送信モードＣ処理）のときからコマンドセットＣＳのビットパターンの変更はなされず、開放デューティＤｕｔｙの値に応じたシャッタ制御コマンドＣＭＤの送信タイミングの設定のみがなされる。
【００８８】
（中断・終了処理での動作）
次に、中断・終了処理（図９中のステップＳ７）の際の動作について詳細に説明する。この中断・終了処理は、例えば、表示装置１０において３次元（立体映像）表示モードから２次元表示モードへと表示モードを移行する際などに行われる処理である。
【００８９】
中断・終了処理は、図８（Ｂ）および図９に示したように、同期制御信号Ｓｙｎｃのデューティ（ＴＨ／Ｔsync）が５％未満または９５％よりも大きいときに加え、同期制御信号Ｓｙｎｃにおいて一定期間（例えば１００ｍｓ）以上連続してＨ期間ＴＨが検出されなかったときになされる。すなわち、シャッタ制御信号生成部１５１は、Ｓｙｎｃデューティ（ＴＨ／Ｔsync）検出処理（図９中のステップＳ２）において、同期制御信号Ｓｙｎｃのデューティ（ＴＨ／Ｔsync）の値または論理値状態に基づいて、以下説明する停止コマンドセットＣＳｆの生成・送信を決定する。この停止コマンドセットＣＳｆは、複数種類のシャッタ制御コマンドＣＭＤの一部を用いて構成されており、左眼用シャッタ６Ｌおよび右眼用シャッタ６Ｒの開閉駆動をそれぞれ開状態にて停止させるためのコマンドセットである。
【００９０】
具体的には、シャッタ制御信号生成部１５１は、例えば図１３（Ａ）〜（Ｃ）に示したようにして、停止コマンドセットＣＳｆの生成・送信動作を行う。すなわち、直前の送信モード処理（送信モードＡ処理、送信モードＢ処理または送信モードＣ処理）のときの開放デューティＤｕｔｙの値に応じたシャッタ制御コマンドＣＭＤの送信タイミングの設定を保持したまま、各送信モードに共通の停止コマンドセットＣＳｆを生成する。
【００９１】
詳細には、このときのシャッタ制御コマンドＣＭＤの内容は、「Ｄ」（R−Open），「Ｄ」（R−Open），…の順に複数回（ここでは１０回）繰り返したものとなる。したがって、停止コマンドセットＣＳｆは、図１３（Ａ）〜（Ｆ）にそれぞれ示したように、１つのシャッタ制御コマンドＣＭＤを、「Ｄ」，「Ｄ」の順に１０回並べたものとなる（すなわち、「Ｄ」が２０回連続して並べられたものとなる）。そして、このコマンドセットＣＳ全体としてのビットパターンは、図１１（Ｃ）に示したように、「０００１０００１」を１０回繰り返したものとなる。２つの同じコマンドを１セットにして複数回（１０回）送信することにより、外部ノイズに対しての耐性を上げ、誤動作を防ぐことが可能となる。具体的には、定常状態において「Ｂ」，「Ａ」，「Ｄ」，「Ｃ」の送信中に、外部ノイズに起因して異なる周期の「Ｂ」，「Ａ」，「Ｃ」が全て欠落し「Ｄ」を連続して送信する可能性は極めて低くなる。よって、送信側と受信側との間で信頼性の高い通信を実現することが可能となる。なお、ここでは、シャッタ制御コマンドＣＭＤの内容が「Ｄ」（R−Open）であるものを複数回連続して繰り返されてなる停止コマンドセットＣＳｆを例に挙げて説明したが、複数種類のシャッタ制御コマンドＣＭＤのうちの他の１つを複数回連続して繰り返すことにより、停止コマンドセットＣＳｆを構成するようにしてもよい。
【００９２】
このようにして、本実施の形態では、シャッタ制御部１５は、同期制御信号Ｓｙｎｃに基づいて、複数種類のシャッタ制御コマンドＣＭＤのうちから選択した１種以上のシャッタ制御コマンドＣＭＤを所定の順番で組み合わせてなるコマンドセットＣＳ（またはコマンドセットＣＳｆ。以下同様）を生成する。そして、生成したコマンドセットＣＳをシャッタ眼鏡６０に対して繰り返し送信することにより、シャッタ制御信号ＣＴＬの送信動作を行う。また、シャッタ制御部１５は、このとき、コマンドセットＣＳ全体として形成されるビットパターンが、以下説明するシャッタ眼鏡６０において保持されているビットパターンと同一となるように、コマンドセットＣＳのビットパターンを設定している。
【００９３】
（２−３．シャッタ眼鏡６０によるシャッタ制御信号ＣＴＬの受信動作）
次に、シャッタ眼鏡６０では、受信部６１において、このようにしてシャッタ制御部１５から繰り返し送信されるコマンドセットＣＳを含む、シャッタ制御信号ＣＴＬを受信する。そして、判別回路６２が、受信したシャッタ制御信号ＣＴＬの制御コード（コマンドセットＣＳ全体のビットパターン）を解読し、左眼用シャッタ６Ｌおよび右眼用シャッタ６Ｒへの開閉指示を判別する。具体的には、受信したコマンドセットＣＳ全体におけるビットパターンと、ビットパターン保持部６３において保持されている、対応する送信モードにおけるビットパターンとの同一性を判別する。
【００９４】
すなわち、本実施の形態では、ビットパターン保持部６３において、受信部６１において受信すると予想（想定）されるコマンドセットＣＳ全体で形成されるビットパターンと、同一のビットパターンが保持されている。言い換えると、ビットパターン保持部６３は、シャッタ制御部１５内のビットパターン保持部１５２と同一のビットパターンを予め保持している。つまり、表示装置１０から繰り返し送信されるコマンドセットＣＳにおいて、このコマンドセットＣＳ全体として形成されるビットパターンが、シャッタ眼鏡６０側において保持されているビットパターンと同一となっている。これにより、送信側（表示装置１０）から受信側（シャッタ眼鏡６０）へとコマンドセットＣＳを含むシャッタ制御信号ＣＴＬの通信を行う際に、シャッタ眼鏡６０側において、そのコマンドセットＣＳが外部ノイズを含んでいるか否かの判別が容易となる。
【００９５】
ここで、判別回路６２では、具体的には例えば以下のようにして、ビットパターンの同一性を判別する。すなわち、まず、送信モード等の切り換え時には、複数個のコマンドセットＣＳにおいて連続してビットパターンの同一性が確認された場合に、正常なコマンドセットＣＳを含むシャッタ制御信号ＣＴＬを受信したと判断する。一方、受信したコマンドセットＣＳ内に、ビットパターン保持部６３において保持しているビットパターンと異なるビットパターンを含んでいる場合には、そのコマンドセットＣＳを含むシャッタ制御信号ＣＴＬには外部ノイズが含まれていると判断する。なお、送信モードの切り換え後には、各コマンドセットＣＳにおいて、ビットパターンの同一性をその都度判断するようにする。
【００９６】
なお、その他にも、判別回路６２では例えば以下のようにして、受信したコマンドセットＣＳに対する判別を行うようにしてもよい。すなわち、４ビットからなるコマンドビットＣＢ（ＣＢ４〜ＣＢ１）において、２ビットを超える（３ビット以上の）「１」を受信した場合には、ここでは図６（Ｂ）に示した各シャッタ制御コマンドＣＭＤのいずれとも異なっているため、外部ノイズを含むと判断する。また、プリアンブルとして機能するスタートビットＳＢを受信せず、他の何らかのビットパターンを受信した場合にも、外部ノイズを含むと判断する。これらの場合、例えば受信したコマンドセットＣＳを破棄し、その直前に受信したコマンドセットＣＳの内容に従って、シャッタ眼鏡６０におけるシャッタの開閉動作を行う（自走する）ようにする。更に、表示装置１０側からのシャッタ制御信号ＣＴＬ自体の送信が途切れた場合には、例えばシャッタ眼鏡６０におけるシャッタの開閉動作を一定時間（例えば数秒間）自走して行い、その後、スタンバイ状態へと移行するようにする。
【００９７】
また、本実施の形態のコマンドセットＣＳ（停止コマンドセットＣＳｆを除く）では、例えば図１０〜図１３に示したように、互いに隣接するシャッタ制御コマンドＣＭＤ間において、「１」となる（有効状態を示す）ビット位置が、必ず上位から下位もしくは下位から上位ビットへと順次変化している。あるいは、２つの複合コマンドの場合には、隣接するビットが変化している。このようにして、コマンドセットＣＳでは、互いに隣接するシャッタ制御コマンドＣＭＤ間において、「１」となるビット位置が所定の規則性をもって変化するように設定されている。具体的には、ここでは、互いに隣接するシャッタ制御コマンドＣＭＤ間において、同じ位置にビットが立たないようになっている。これにより、そのようなビットパターンからなるコマンドセットＣＳを送受信する際に、この規則性から外れるビットがノイズであると判断し易くなるという効果が得られる。
【００９８】
更に、本実施の形態の停止コマンドセットＣＳｆでは、例えば図１３に示したように、基本的に同じシャッタ制御コマンドＣＭＤが連続かつ異なる周期（タイミング）によるビットパターンとなっている。これにより、そのようなビットパターンからなる停止コマンドセットＣＳｆを送受信する際に、定常状態おけるシャッタ制御コマンドＣＭＤの欠落による誤動作を防ぐことができるという効果が得られる。
【００９９】
以上のように本実施の形態では、表示装置１０内のシャッタ制御部１５から繰り返し送信されるコマンドセットＣＳにおいて、このコマンドセットＣＳ全体として形成されるビットパターンが、シャッタ眼鏡６０側において保持されているビットパターンと同一となるようにしたので、送信側（表示装置１０）から受信側（シャッタ眼鏡６０）へとコマンドセットＣＳを含むシャッタ制御信号ＣＴＬの通信を行う際に、そのコマンドセットＣＳが外部ノイズを含んでいるか否かを受信側で容易に判別することができる。よって、そのような外部ノイズの影響を低減もしくは回避し易くなり、送信側と受信側との間で信頼性の高い通信を実現することが可能となる。
【０１００】
＜変形例＞
続いて、上記実施の形態の変形例（変形例１，２）について説明する。なお、実施の形態と同一の構成要素については同一符号を付してその説明を適宜省略する。
【０１０１】
［変形例１］
図１４は、変形例１に係る表示システム（表示システム１Ａ）の全体構成を表すものである。この表示システム１Ａは、上記実施の形態の表示ステム１と同様に、立体視表示を行う立体視表示システムである。表示システム１は、表示装置１０Ａと、シャッタ制御部１５を有する送信装置７と、シャッタ眼鏡６０とを備えている。すなわち、上記実施の形態の表示システム１では、送信装置（送信部）としてのシャッタ制御部１５が表示装置１０内に内臓されていたのに対し、本変形例の表示システム１Ａでは、シャッタ制御部１５が表示装置１０Ａの外部に設けられている（外付けされている）。なお、その他の構成は、上記実施の形態と同様となっている。
【０１０２】
ここで、送信装置７およびシャッタ眼鏡６０が、本発明における「送受信システム」の一具体例に対応している。
【０１０３】
このように、本変形例のように、送信装置（送信部）としてのシャッタ制御部１５が、表示装置１０Ａとは別体として外部に設けられているようにした表示システム１Ａおよび送受信システムにおいても、上記実施の形態と同様の作用により同様の効果を得ることが可能である。
【０１０４】
［変形例２］
図１５は、変形例２に係る表示システム（表示システム２）の全体構成を表すものである。この表示システム２は、複数の観察者が、１つの表示装置１０に表示される異なる映像を見るためのマルチビューシステムである。すなわち、上記実施の形態および変形例１では、複数種類の画像として互いに視差を有する左眼用画像および右眼用画像を時分割的に順次切り換えて表示する立体視表示システムであったのに対し、本変形例では、互いに異なる複数種類の画像を時分割的に順次切り換えて表示するマルチビューシステムとなっている。
【０１０５】
本変形例では、シャッタ眼鏡が、上記実施の形態および変形例１とは異なるものとなっている。すなわち、上記実施の形態（図１）および変形例１（図１４）では、右眼用シャッタ６Ｒおよび左眼用シャッタ６Ｌのそれぞれに対して、開閉動作を指示したが、これに代えて、本変形例では、複数のシャッタ眼鏡のそれぞれに対して、シャッタ眼鏡ごと（一対の右眼用シャッタおよび左眼用シャッタごと）の開閉動作を指示している。その他の構成は、上記実施の形態と同様である。なお、以下では、一例として、２人の観察者を対象としたマルチビューシステムについて説明する。
【０１０６】
（表示システム２の構成）
本変形例の表示システム２は、図１５に示したように、表示装置１０と、２つのシャッタ眼鏡６０Ａ，６０Ｂとを備えている。
【０１０７】
表示装置１０は、上記実施の形態に係る表示装置１０（図２）と同じであるが、入力信号Ｄinが異なる。すなわち、表示装置１０は、２人分の異なる映像信号を含む入力信号Ｄinに基づいて、表示部１２に映像を表示するものである。ここで、２人分の映像信号は、一方の観察者のための画像と他方の観察者のための画像とを交互に配列してなる映像信号である。表示装置１０のシャッタ制御部１５は、信号処理部２０から供給された同期制御信号Ｓｙｎｃに基づいてシャッタ制御信号ＣＴＬを生成し、例えば赤外線や電波などを用いた無線通信によりシャッタ眼鏡６０Ａ，６０Ｂに供給するものである。
【０１０８】
シャッタ眼鏡６０Ａ，６０Ｂは、表示装置１０に表示された２つの異なる映像を２人の観察者（図示せず）がそれぞれ見るためのものである。シャッタ眼鏡６０Ａは一対のシャッタ６Ａを有し、シャッタ眼鏡６０Ｂは一対のシャッタ６Ｂを有している。一対のシャッタ６Ａは、シャッタ制御信号ＣＴＬにより同時に開閉制御され、同様に、一対のシャッタ６Ｂは、シャッタ制御信号ＣＴＬにより同時に開閉制御される。
【０１０９】
以上の構成により、シャッタ眼鏡６０Ａのシャッタ６Ａおよびシャッタ眼鏡６０Ｂのシャッタ６Ｂは、シャッタ制御信号ＣＴＬに基づいて、表示装置１０に時分割的に表示される観察者９Ａのための画像と観察者９Ｂのための画像とに同期して、シャッタの開閉動作を行うようになっている。
【０１１０】
［表示システム２の作用・効果］
図１６は、表示システム２の全体動作を模式的に表すものである。図１６において、（Ａ）は観察者９Ａのための画像Ａを表示したとき（表示光ＬＡが出射されているとき）の動作を示し、（Ｂ）は観察者９Ｂのための画像Ｂを表示したとき（表示光ＬＢが出射されているとき）の動作を示す。
【０１１１】
表示装置１０が画像Ａを表示している場合、図１６（Ａ）に示したように、シャッタ眼鏡６０Ａのシャッタ６Ａが開状態となると共に、シャッタ眼鏡６０Ｂのシャッタ６Ｂが閉状態となる。このとき、観察者９Ａが画像Ａを見ることとなる。一方、表示装置１０が画像Ｂを表示している場合、図１６（Ｂ）に示したように、シャッタ眼鏡６０Ａのシャッタ６Ａが閉状態となると共に、シャッタ眼鏡６０Ｂのシャッタ６Ｂが開状態となる。このとき、観察者９Ｂが画像Ｂを見ることとなる。これらの動作を交互に繰り返すことにより、画像Ａを観察者９Ａが見ることができると共に、画像Ｂを観察者９Ｂが見ることができる。すなわち、１つの表示装置に表示される複数の映像のそれぞれを複数の観察者が見ることができる、マルチビューシステムを実現することができる。
【０１１２】
このように、本変形例の表示システム２のようなマルチビューシステムにおいても、上記実施の形態や変形例１と同様の作用により同様の効果を得ることが可能である。
【０１１３】
（その他の変形例）
以上、実施の形態および変形例を挙げて本発明を説明したが、本発明はこれらの実施の形態等には限定されず、種々の変形が可能である。
【０１１４】
例えば、上記実施の形態等で説明した同期制御信号Ｓｙｎｃ、シャッタ制御コマンドＣＭＤ、コマンドセットＣＳおよび停止コマンドセットＣＳｆ、それらのビットパターン、ならびに送信モード等の構成や種類については、説明したものには限られず、他の構成等のものを用いるようにしてもよい。
【０１１５】
また、上記の実施の形態等では、表示部は液晶表示装置を用いるようにしたが、これに限定されるものではない。例えば、液晶表示装置の代わりに、ＥＬ（Electro-Luminescence）表示装置や、プラズマ表示装置、ＤＬＰ（Digital Light Processing）によるプロジェクタ等を用いるようにしてもよい。
【０１１６】
更に、例えば、シャッタ眼鏡は、モードの切り替えにより、立体視表示システムおよびマルチビューシステムの両方に対応できるようにしてもよい。
【０１１７】
加えて、上記実施の形態等で説明した一連の処理は、ハードウェア（回路）で行われるようにしてもよいし、ソフトウェア（プログラム）で行われるようにしてもよい。
【符号の説明】
【０１１８】
１，１Ａ，２…表示システム、６Ａ，６Ｂ…シャッタ、６Ｌ…左眼用シャッタ、６Ｒ…右眼用シャッタ、１０，１０Ａ…表示装置、１１…表示駆動部、１２…表示部、１３…音声増幅部、１４…スピーカ、１５…シャッタ制御部、１５１…シャッタ制御信号生成部、１５２…ビットパターン保持部、１５３…送信部、２０…信号処理部、２１…デジタルチューナ、２２…ＭＰＥＧデコーダ、２３…映像信号処理回路、２４…グラフィック生成回路、２５…音声信号処理回路、２６…ＨＤＭＩレシーバ、２７…ネットワークインターフェース、３１…内部バス、３２…メモリ、３３…フラッシュＲＯＭ、３４…ＣＰＵ、３５…リモコン受信部、４１…タイミング制御部、４２…ゲートドライバ、４３…データドライバ、４４…バックライト駆動部、４５…液晶表示デバイス、４６…バックライト、５０…画素、５１…ＴＦＴ素子、５２…液晶素子、５３…保持容量素子、６０、６０Ａ、６０Ｂ…シャッタ眼鏡、６１…受信部、６２…判別回路、６３…ビットパターン保持部、６４…シャッタ駆動回路、７…送信装置、９，９Ａ，９Ｂ…観察者、Ｄin…入力信号、Ｄ１…映像信号、Ｄ２…音声信号、Ｓｙｎｃ…同期制御信号、ＣＴＬ…シャッタ制御信号、ＣＴＬＬ…左眼用シャッタ制御信号、ＣＴＬＲ…右眼用シャッタ制御信号、ＲＳ…リモコン信号、ＴＡ…アンテナ端子、ＴＨ…ＨＤＭＩ端子、ＴＮ…ネットワーク端子、Ｄ…データ線、Ｇ…ゲート線、Ｃｓ…保持容量線、Ｌ…左眼用画像、Ｒ…右眼用画像、ＬＬ，ＬＲ…表示光、ＣＭＤ…シャッタ制御コマンド、ＳＢ…スタートビット、ＣＢ（ＣＢ１〜ＣＢ４）…コマンドビット、ＣＴ…コマンドテーブル、ＣＳ…コマンドセット、ＣＳｆ…停止コマンドセット、Ｔsync…１周期期間、ＴＨ…Ｈ期間、ＴＬ…Ｌ期間、Ｄｕｔｙ…開放デューティ、ΔＤｕｔｙ１〜ΔＤｕｔｙ３…デューティ区分範囲、Ｓ１…Ｓｙｎｃ初期処理、Ｓ２…Ｓｙｎｃデューティ検出処理、Ｓ３…送信モードＡ処理、Ｓ４…送信モードＢ処理、Ｓ５…送信モードＣ処理、Ｓ６…混在エリア処理、Ｓ７…中断・終了処理。
【図１】
0005447004.tif 000002
【図２】
0005447004.tif 000003
【図３】
0005447004.tif 000004
【図４】
0005447004.tif 000005
【図５】
0005447004.tif 000006
【図６】
0005447004.tif 000007
【図７】
0005447004.tif 000008
【図８】
0005447004.tif 000009
【図９】
0005447004.tif 000010
【図１０】
0005447004.tif 000011
【図１１】
0005447004.tif 000012
【図１２】
0005447004.tif 000013
【図１３】
0005447004.tif 000014
【図１４】
0005447004.tif 000015
【図１５】
0005447004.tif 000016
【図１６】
0005447004.tif 000017